(57)【要約】【課題】ベッドの幅を簡単な操作で自在に調整することができるパイプベッドを提供する。【解決手段】ヘッドフレーム２とフットフレーム３の側端部同士を各々サイドフレーム４で連結して四角枠状としたベッドフレーム１と、このベッドフレーム１の上面にセットした床板５から構成される。前記サイドフレーム４、４間には複数本の補助フレーム６、６が梯子状に設置してある。また、前記床板５の下面には前記補助フレーム６が係止されるとともに、この補助フレーム６に案内されて床板５を幅方向にスライド移動可能とする支持金具７を設けてある。そして、床板５をフレーム本体１から横方向に突出した状態にスライド移動することによりベッドの幅調整を行う。【選択図】図４
0003148391.tif 000002
【実用新案登録請求の範囲】
【請求項１】
ヘッドフレームとフットフレームの側端部同士を各々サイドフレームで連結して四角枠状としたベッドフレームの上面に床板をセットしたパイプベッドであって、前記サイドフレーム間には複数本の補助フレームを梯子状に設置し、また、前記床板の下面には前記補助フレームが係止されるとともに、この補助フレームに案内されて床板を幅方向にスライド移動する支持金具を設け、床板をベッドフレームから横方向に突出した状態にスライド移動させることによりベッドの幅調整を可能としたことを特徴とするパイプベッド。
【請求項２】
床板の下面の所定位置に垂設した複数個の位置決め用ストッパー片が、サイドフレームと係合して床板の横方向への突出量を段階的に調整可能とされている請求項１に記載のパイプベッド。
【請求項３】
床板をベッドフレームから横方向にスライド移動した際に形成されるベッドフレーム上面の空き部分に、１個または２個以上の補助床板をセットして幅の広い床板を構成する請求項１または２に記載のパイプベッド。
【請求項４】
支持金具は、床板の下面に垂設した一対の脚部の下端部同士を丸棒部材で連結して枠部を形成しており、この枠部内に補助フレームが挿入され前記丸棒部材が補助フレームに接触しつつスライド移動する構造となっている請求項１〜３のいずれかに記載のパイプベッド。
【請求項５】
床板が幅方向に２分割されており、各々の床板の分割面側には支持金具が設けられ、一方、サイドフレーム側には位置決め用ストッパー片が垂設されている請求項１〜４のいずれかに記載のパイプベッド。
【請求項６】
床板が幅方向に１枚の板で形成されており、一方のサイドフレーム側には支持金具が設けられ、他方のサイドフレーム側には位置決め用ストッパー片が垂設されている請求項１〜４のいずれかに記載のパイプベッド。
【請求項７】
床板が長手方向に分割されている請求項５または６に記載のパイプベッド。
【考案の詳細な説明】
【技術分野】
【０００１】
本考案は、ベッドの幅を簡単な操作で自在に調整することができるパイプベッドに関するものである。
【背景技術】
【０００２】
従来から、ヘッドフレームとフットフレームの側端部同士を各々サイドフレームで連結して四角枠状としたベッドフレームと、このベッドフレーム上に床板をセットしたパイプベッドが広く普及している。このようなパイプベッドは、一定の寸法規格に基づいて製造されているが、特別に背の高い人にも利用できるように、例えば特許文献１〜３に示されるように、ベッドの長さを調整自在としたベッドが種々開発され、提案されている。
【０００３】
しかしながら、寸法調整が必要なのはベッドの長さ方向だけでなく、ベッドの幅方向の場合もある。例えば、幅方向にもっと余裕のある長さにして使用したいという場合や、突然の来客等でダブルベッドサイズにして使用したい場合等である。このようなベッドの幅を調整したいというニーズはあるものの、現時点ではベッドの幅方向の長さを簡単に調整できるベッドは提案されていない。
【特許文献１】特開２０００−３７２６１号公報
【特許文献２】特開２００５−２０４９９２号公報
【特許文献３】特開２００８−１７０号公報
【考案の開示】
【考案が解決しようとする課題】
【０００４】
本考案は上記のような問題点を解決して、ベッドの幅を簡単な操作で自在に調整することができ、しかも安全性にも優れているパイプベッドを提供することを目的として完成されたものである。
【課題を解決するための手段】
【０００５】
上記課題を解決するためになされた本考案のパイプベッドは、ヘッドフレームとフットフレームの側端部同士を各々サイドフレームで連結して四角枠状としたベッドフレームの上面に床板をセットしたパイプベッドであって、前記サイドフレーム間には複数本の補助フレームを梯子状に設置し、また、前記床板の下面には前記補助フレームが係止されるとともに、この補助フレームに案内されて床板を幅方向にスライド移動する支持金具を設け、床板をベッドフレームから横方向に突出した状態にスライド移動させることによりベッドの幅調整を可能としたことを特徴とするものである。
【０００６】
また、前記床板の下面の所定位置に垂設した複数個の位置決め用ストッパー片が、サイドフレームと係合して床板の横方向への突出量を段階的に調整可能とされているものとすることができ、これを請求項２に係る考案とする。
【０００７】
また、床板をベッドフレームから横方向にスライド移動した際に形成されるベッドフレーム上面の空き部分に、１個または２個以上の補助床板をセットして幅の広い床板を構成することができ、これを請求項３に係る考案とする。
【０００８】
前記支持金具は、床板の下面に垂設した一対の脚部の下端部同士を丸棒部材で連結して枠部を形成しており、この枠部内に補助フレームが挿入され前記丸棒部材が補助フレームに接触しつつスライド移動する構造とすることができ、これを請求項４に係る考案とする。
【０００９】
また、床板が幅方向に２分割されており、各々の床板の分割面側には支持金具が設けられ、一方、サイドフレーム側には位置決め用ストッパー片が垂設されているものとすることや、床板が幅方向に１枚の板で形成されており、一方のサイドフレーム側には支持金具が設けられ、他方のサイドフレーム側には位置決め用ストッパー片が垂設されているものとすることや、更には、床板が長手方向に分割されているものとすることができ、それぞれ請求項５〜７に係る考案とする。
【考案の効果】
【００１０】
請求項１に係る考案では、床板の下面にある支持金具に補助フレームが係止され、床板がこの補助フレームに案内されてスライド移動する構造であるので、床板を幅方向に簡単にスライド移動することができ、また、床板がベッドフレームから横方向に突出した状態であっても、前記支持金具が補助フレームに係止されているため床板の浮き上がりも防止することができ、安全である。
【００１１】
また、請求項２に係る考案では、位置決め用ストッパー片とサイドフレームとの係合により、ベッドの幅調整を段階的に行い、任意の幅サイズとすることができる。
【００１２】
また、請求項３に係る考案では、床板のスライド移動で形成されたベッドフレーム上面の空き部分に１個または２個以上の補助床板をセットすることで、簡単に幅の広い床板を形成することができる。
【００１３】
また、請求項４に係る考案では、丸棒部材が補助フレームに接触しつつスライド移動することで、摩擦抵抗を低減してスムーズなスライド移動を達成することができる。
【００１４】
更に、請求項５〜７に係る考案では、床板を幅方向や長手方向に任意に分割することで床板を小型化し、取り扱い性を向上させることができる。
【考案を実施するための最良の形態】
【００１５】
以下に、図面を参照しつつ本考案の好ましい実施の形態を示す。
図１は、本考案に係るパイプベッドの全体斜視図、図２は平面、図３は正面、図４は側面である。図において、１はベッドフレーム、２はヘッドフレーム、３はフットフレーム、４はサイドフレームであり、前記ベッドフレーム１は、ヘッドフレーム２とフットフレーム３の側端部同士を各々サイドフレーム４、４で連結して四角枠状とされている。また、このベッドフレーム１の上面には床板５がセットされている。
【００１６】
図１〜図４に示すパイプベッドでは、前記床板５は、幅方向及び長手方向にそれぞれ二等分され４枚の床板部品５、・・・５からなるものである。以下、この場合について説明する。なお、この床板５は幅方向及び／または長手方向に任意に分割したものや、幅方向には分割しない板等を用いることができる。
【００１７】
前記サイドフレーム４、４間には複数本の補助フレーム６、６・・・が梯子状に設置されている。図示のものでは、ベッドフレーム１の長手方向を６等分するように、補助フレーム６、６・・・が設置されている。この補助フレーム６は、図示のものでは断面が角形であるが、その他、円形や楕円形等のいずれ断面形状であってもよい。
【００１８】
また、前記床板５の下面には前記補助フレーム６が係止されるとともに、この補助フレーム６に案内されて床板５を幅方向にスライド移動可能とする支持金具７が設けられている（図３〜図４を参照）。図示のものでは、この支持金具７は全補助フレーム６に対応して設けられているが、床板５を保持できるように少なくとも２個設ければよい。そして、この支持金具７を利用して床板５をベッドフレーム１から横方向に突出した状態にスライド移動させることにより、ベッドの幅調整を簡単に行うことができるように構成されている。
【００１９】
前記床板５は、図４に示されるように、芯材５ａの上下面に表張り合板５ｂと裏張り合板５ｃとを装着した一定厚みの板体であり、表張り合板５ｂ上には更にウレタンフォーム層５ｄが設けられた構造となっている。
【００２０】
また、前記支持金具７は、図５に示されるように、床板５に垂設される一対のＬ字状脚部７ａ、７ａの下端部同士を丸棒部材７ｂで連結して枠部８を形成しており、この枠部８内に前記補助フレーム６が挿入されて、前記丸棒部材７ｂが補助フレーム６に接触しつつスライド移動する構造となっている。
なお、端部に位置する支持金具７の場合は、設置スペースの制限から、図６に示されるように、Ｌ字状脚部７ａが片側だけあって、その下端部に丸棒部材７ｂを水平に取り付けた構造としてある。
また、図示のものでは、この支持金具７をＬ字状脚部７ａの上部水平面を床板５の裏張り合板５ｃに下からネジ止めしてあるが、表張り合板５ｂに上からネジ止めした構造とすることもできる。
【００２１】
また、前記床板５の下面には幅方向の所定位置に複数個の位置決め用ストッパー片９、９・・・が垂設されており、この位置決め用ストッパー片９がサイドフレーム４の上端部内壁面と係合して床板５の横方向への突出量を段階的に調整する構造となっている（図４を参照）。
図示のものでは、４個の位置決め用ストッパー片９が設けられており、外側から順にベッド幅が規格サイズのシングル、ワイドシングル、セミダブル、ダブルの各サイズとなるように設定されている。
【００２２】
また、前記床板５をフレーム本体１から横方向にスライド移動すると、ベッドフレーム１の上面には移動量に応じて空き部分が形成されることとなる。そこで、本考案では後述するように、前記空き部分に１個または２個以上の補助床板１５をセットして幅の広い床板を構成する（図１０を参照）。
この補助床板１５は、基本的には床板５と同じ構造、厚みからなるものであり、床板５に対応するよう長手方向にも同じ分割数となっている。また、幅方向の長さについては空き部分の基本幅に応じたものを用意しておき、それらを組み合わせてセットするよう構成されている。
【００２３】
図７〜図８は、幅方向に２分割され、かつ長手方向にも２分割された床板５を示しており、分割面側には支持金具７が設けられ、一方、サイドフレーム側には位置決め用ストッパー片９が垂設されている。幅方向の分割、及び長手方向の分割は、図７に示すように各々２等分するのが取り扱い上、最も好ましいが分割数、分割割合については任意に設定できることは勿論である。
また、床板は幅方向に１枚の板で形成されていて、一方のサイドフレーム側には支持金具７が設けられ、他方のサイドフレーム側には位置決め用ストッパー片９が垂設されているものとすることもできるが、これについては後述する。
【００２４】
次に、ベッドの幅調整を行う手順について説明する。
本考案では、床板５の下面に補助フレーム６が係止されるとともに、この補助フレーム６に案内されて床板を幅方向にスライド移動可能とする支持金具７が設けられている。従って、図９に示されるように、床板５の支持金具７があるサイドとは反対側のサイドを上へ持ち上げて、位置決め用ストッパー片９のサイドフレーム４との係合関係を解除し、そのまま床板５を水平方向にスライド移動させれば、床板５をベッドフレーム１から横方向に任意の位置まで突出した状態に移動させることができる。
この場合、前記支持金具７は、枠部８内に補助フレーム６が挿入され丸棒部材７ｂが補助フレーム６に接触しつつスライド移動するので、摩擦抵抗を低減してスムーズなスライド移動を達成することができる。また、床板５がベッドフレーム１から横方向に突出した状態にあり、突出した箇所に荷重がかかったとしても、前記支持金具７が補助フレーム６に係止されているため床板５の浮き上がりが防止され、安全である。
【００２５】
次に、ベッドの長さ方向、及び幅方向にそれぞれ二等分した図７の床板５を用いてベッドの幅調整を行う場合を、図１０に示す。
床板５のスライド移動については、前述のとおりであり、左右一対の床板５、５をフレーム本体１から横方向に等距離ずつ突出するように移動する。
（ａ）は外側から２番目の位置決め用ストッパー片９をサイドフレーム４に係合してワイドシングルサイズに幅調整する場合である。ベッドフレーム上面の空き部分には、補助床板１５をセットして幅の広い床板を形成する。（ｂ）は外側から３番目の位置決め用ストッパー片９をサイドフレーム４に係合してセミダブルサイズに幅調整する場合であり、ベッドフレーム上面の空き部分には、２個の補助床板１５をセットして床板を形成する。（ｃ）は外側から４番目の位置決め用ストッパー片９をサイドフレーム４に係合してダブルサイズに幅調整する場合であり、ベッドフレーム上面の空き部分には、３個の補助床板１５をセットして床板を形成する。
このように、位置決め用ストッパー片９とサイドフレーム４の上端部内壁面との係合により、床板５の横方向への突出量を段階的に調整してベッドの幅をシングル、ワイドシングル、セミダブル、ダブルと任意のサイズに設定することができる。
なお、幅を広げたベッドを元のシングルサイズに戻すには、逆の手順により間単に行うことができる。
【００２６】
図１１は、１枚板からなる床板５を示すもので、一方のサイドフレーム側には支持金具７が設けられ、他方のサイドフレーム側には位置決め用ストッパー片９、９・・・が垂設されている。図１２（ａ）に、この１枚板からなる床板５を用い、１番外側の位置決め用ストッパー片９とサイドフレーム４とを係合させてシングルサイズで使用する場合を示し、図１２（ｂ）に外側から４番目の位置決め用ストッパー片９とサイドフレーム４とを係合させ、かつフレーム本体上面の空き部分には、３個の補助床板１５をセットしてダブルサイズで使用する場合を示す。
この場合も、床板５のスムーズなスライド移動が可能であり、またベッドフレーム１から横方向に突出した状態にある床板部分に荷重がかかったとしても、支持金具７が補助フレーム６に係止されているため床板５の浮き上がりが防止され、安全である。
【図面の簡単な説明】
【００２７】
【図１】本考案の実施の形態を示す全体斜視図である。
【図２】本考案の実施の形態を示す平面図である。
【図３】図１の正面図である。
【図４】図１の側面図である。
【図５】（ａ）は支持金具を示す正面図、（ｂ）は側面図である。
【図６】その他の支持金具を示す正面図である。
【図７】床板部品を示す平面図である。
【図８】図７の正面図である。
【図９】床板のスライド移動工程の説明図である。
【図１０】補助床板をセットして床板の幅を調整する状態を示す説明図である。
【図１１】（ａ）はその他の床板部品を示す平面図、（ｂ）は側面図である。
【図１２】図１１の床板部品をセットして床板の幅を調整する状態を示す説明図である。
【符号の説明】
【００２８】
１  ベッドフレーム
２  ヘッドフレーム
３  フットフレーム
４  サイドフレーム
５  床板
５ａ  芯材
５ｂ  表張り合板
５ｃ  裏張り合板
５ｄ  ウレタンフォーム層
６  補助フレーム
７  支持金具
７ａ  脚部
７ｂ  丸棒部材
８  枠部
９  位置決め用ストッパー片
１５  補助床板
【図１】
0003148391.tif 000003
【図２】
0003148391.tif 000004
【図３】
0003148391.tif 000005
【図４】
0003148391.tif 000006
【図５】
0003148391.tif 000007
【図６】
0003148391.tif 000008
【図７】
0003148391.tif 000009
【図８】
0003148391.tif 000010
【図９】
0003148391.tif 000011
【図１０】
0003148391.tif 000012
【図１１】
0003148391.tif 000013
【図１２】
0003148391.tif 000014